(57)【要約】【課題】  １台のテレビで表側のディスプレイと裏側のディスプレイに個々に選局した番組を視聴できる両面テレビを提供する。【解決手段】  両面テレビ１は、背中合わせに第１ディスプレイ１１と第２ディスプレイ１２を配置した両面ディスプレイ部２と、第１ディスプレイ１１に第１チューナユニットで選局した映像及び音声情報を出力し、第２ディスプレイ１２に第２チューナユニットで選局した映像及び音声情報を出力する受像回路部と、両面ディスプレイ部２を垂直姿勢に支持するテレビ支持部１３とを備える。【選択図】  図１
0003220235.tif 000002
【実用新案登録請求の範囲】
【請求項１】
背中合わせに第１ディスプレイと第２ディスプレイを配置した両面ディスプレイ部と、
前記第１ディスプレイに第１チューナユニットで選局した映像及び音声情報を出力し、前記第２ディスプレイに第２チューナユニットで選局した映像及び音声情報を出力する受像回路部と、
前記両面ディスプレイ部を垂直姿勢に支持するテレビ支持部とを備えることを特徴とする両面テレビ。
【請求項２】
請求項１において、
前記両面ディスプレイ部は、前記第１ディスプレイと前記第２ディスプレイを背中合わせに一体的に直接取り付けたことを特徴とする両面テレビ。
【請求項３】
請求項１及び２のいずれか１項において、
前記受像回路部は、前記テレビ支持部に設けたことを特徴とする両面テレビ。
【請求項４】
請求項１乃至３のいずれか１項において、
前記受像回路部は、前記第２チューナユニットの音声情報を無線により出力することを特徴とする両面テレビ。
【考案の詳細な説明】
【技術分野】
【０００１】
本考案は、表裏両面に配置したディスプレイに個々に選局した番組の映像を表示できる両面テレビに関する。
【背景技術】
【０００２】
従来、表裏両面にそれぞれディスプレイを配置した両面テレビが提案されている（特許文献１）。この両面テレビは、ビルの受付などで対面会話する２者の不便、テレビモニターを複数台用意するといった煩わしさを解消するために提案されている。
【先行技術文献】
【特許文献】
【０００３】
【特許文献１】特開２０１１−１２３４５５号公報
【考案の概要】
【考案が解決しようとする課題】
【０００４】
このような従来の両面テレビは、ビジネスの場面で生じる不便さを解消するために、表裏両面に同じ画像を表示させることを前提としている。
【０００５】
しかしながら、家庭内では、同時に異なるテレビ番組を視聴したい場合がある。例えば夕食の支度をしている主婦がドラマを見たいが、子供達が同時に放送するスポーツ中継を見たい場合がある。２台のテレビを用意すればそれぞれの要求は満たされるが、テレビの配置スペースの点、コストの点などから無駄である。
【０００６】
そこで、本考案は、このような従来の技術の有する未解決の課題に着目してなされたものであって、１台のテレビで表側のディスプレイと裏側のディスプレイに個々に選局した番組を視聴できる両面テレビを提供することを目的としている。
【課題を解決するための手段】
【０００７】
〔考案１〕  上記目的を達成するために、考案１の両面テレビは、背中合わせに第１ディスプレイと第２ディスプレイを配置した両面ディスプレイ部と、前記第１ディスプレイに第１チューナユニットで選局した映像及び音声情報を出力し、前記第２ディスプレイに第２チューナユニットで選局した映像及び音声情報を出力する受像回路部と、前記両面ディスプレイ部を垂直姿勢に支持するテレビ支持部とを備える。
【０００８】
〔考案２〕  さらに、考案２の両面テレビは、考案１の両面テレビにおいて、前記両面ディスプレイ部は、前記第１ディスプレイと前記第２ディスプレイを背中合わせに一体的に直接取り付けた。
【０００９】
〔考案３〕  さらに、考案３の両面テレビは、考案１及び２のいずれか１の両面テレビにおいて、前記受像回路部は、前記テレビ支持部に設けた。
【００１０】
〔考案４〕  さらに、考案４の両面テレビは、考案１乃至３のいずれか１の両面テレビにおいて、前記受像回路部は、前記第２チューナユニットの音声情報を無線により出力する。
【考案の効果】
【００１１】
以上説明したように、考案１の両面テレビによれば、一つの両面ディスプレイ部が２台のテレビを構成し、第１ディスプレイと第２ディスプレイで異なるテレビ番組を同時に視聴することができる。このため、２台のテレビを一部屋に別々に配置する場合に比べて部屋の有効利用ができ、また部屋の中、あるいは居間とキッチンのような仕切りのない部屋の間で、別々に異なるテレビ番組を視聴することが可能となった。
【００１２】
さらに、考案２の両面テレビによれば、両面ディスプレイ部を薄型に形成することができる。
【００１３】
さらに、考案３の両面テレビによれば、第１ディスプレイと第２ディスプレイには受像回路部を内蔵せず、テレビ支持部に受像回路部を設けるので、より一層両面ディスプレイ部の薄型化を図ることができる。
【００１４】
さらに、考案４の両面テレビによれば、第２ディスプレイで視聴するテレビ番組の音声が外部に漏れずに聞くことが可能となり、同じ部屋の中で異なるテレビ番組の音声がスピーカから出て、番組の音声が聴き難くなることを防止することができる。
【図面の簡単な説明】
【００１５】
【図１】本考案による両面テレビの実施の形態を示す斜視図である。
【図２】図１に示す両面テレビの構成を示すブロック図である。
【図３】図２に示すブロック図中の表示制御機能の構成を示すブロック図である。
【考案を実施するための形態】
【００１６】
以下、本考案の実施の形態を説明する。
図１において、両面テレビ１は、表面側に配置される第１ディスプレイであるＡディスプレイ１１と、背面側に配置される第２ディスプレイであるＢディスプレイ１２とを背中合わせに対向配置した両面ディスプレイ部２を有する。Ａディスプレイ１１とＢディスプレイ１２は背中合わせ部分で直接に一体的に取り付けられて薄型の両面ディスプレイ部２を構成している。両面ディスプレイ部２の下部は垂直方向に延びる脚部１４に固定され、さらに脚部１４の下部は水平方向に配置した支持台１５に固定されており、支持台１５と脚部１４によりテレビ支持部１３を構成している。Ａディスプレイ１１にはＡスピーカ（図１には不図示）とＢディスプレイ１２にはＢスピーカ（図１には不図示）が内蔵されている。Ａディスプレイ１１とＢディスプレイ１２は、液晶パネル、有機ＥＬパネル等が使用される。
【００１７】
テレビ支持部１３は、床などに両面テレビ１を床置きするタイプを例にして説明したが、天井などから吊り下げるタイプであってもよい。また、両面テレビ１に電源を供給する電源ケーブルの差込口は、例えば、支持台１５に設けられている。
【００１８】
両面ディスプレイ部２は予めＡディスプレイ１１とＢディスプレイ１２とが取り付けられた状態で工場より出荷され、両面テレビ１の配置場所で脚部１４と支持台１５を固定するようにして組み立てられる。支持台１５の内部に、選局したテレビ番組の映像をＡディスプレイ１１とＢディスプレイ１２に別々に表示させると共にＡディスプレイ１１とＢディスプレイ１２に設けた前記スピーカに音声を出力する図２及び図３に示す両面テレビ１の受像回路部３が収納される。なお、Ａディスプレイ１１とＢディスプレイ１２には別々にテレビ操作用のリモコン（不図示）が用意されている。
【００１９】
図２において、両面テレビ１の受像回路部３は、同一構成の２つのＡチューナユニット２０ＡとＢチューナユニット２０Ｂと、Ａディスプレイ１１用のＡディスプレイ駆動回路２２Ａ、Ｂディスプレイ１２用のＢディスプレイ駆動回路２２Ｂ、Ａディスプレイ１１用のＡ音声出力回路２３Ａ、Ｂディスプレイ１２用のＢ音声出力回路２３Ｂと、表示制御部２５を有する。Ａ音声出力回路２３ＡはＡディスプレイ１１に内蔵のＡスピーカ２４Ａを駆動し、Ｂ音声出力回路２３ＢはＢディスプレイ１２に内蔵のＢスピーカ２４Ｂを駆動する。Ｂ音声出力回路２３Ｂは、音声を無線出力する無線出力回路を含み、Ｂチューナユニット２０Ｂで選局された番組の音声情報を無線送信する。その際、Ｂスピーカ２４Ｂへの出力は断たれる。この場合、Ｂ音声出力回路２３Ｂから出力される音声を無線送信で不図示のレシーバで受信し、イヤーフォンを介して音声を聞くことができ、異なる番組の音声が混在することを防止できる。
【００２０】
Ａチューナユニット２０ＡとＢチューナユニット２０Ｂは、チューナ２０１と、でモジュレータ２０２と、デマルチプレクサ２０３をそれぞれ有する。Ａチューナ２０ＡとＢチューナユニット２０Ｂの各チューナ２０１は、地上デジタル放送やＢＳ／ＣＳデジタル放送等の各種放送番組の放送波を外部アンテナ２１を介して受信する。チューナ２０１によって受信された放送波は、デモジュレータ２０２に供給される。デモジュレータ２０２は、供給された放送波を復調することによってＴＳ（Transport Stream）を得る。デモジュレータ２０２によって得られたＴＳは、デマルチプレクサ２０３に供給される。
【００２１】
各デマルチプレクサ２０３は、供給されたＴＳから映像信号および音声信号を分離する。デマルチプレクサ２０３によってＴＳから分離された映像信号（圧縮ビデオデータ）は、不図示のビデオデコーダによってデコードされ、デジタルビデオデータとなって、表示制御部２５を介してそれぞれＡディスプレイ駆動回路２２Ａ、Ｂディスプレイ駆動回路２２Ｂへ供給される。一方、デマルチプレクサ２０６によってＴＳから分離された音声信号（圧縮音声データ）は、図示を省略するオーディオデコーダによってデコードされ、デジタルオーディオデータとなって、Ａ音声出力回路２３ＡとＢ音声出力回路２３Ｂへそれぞれ供給される。
【００２２】
Ａディスプレイ駆動回路２２Ａは、供給された映像信号に応じてＡディスプレイ１１を駆動することにより、放送番組を構成する映像を、Ａディスプレイ１１に表示させる。同様に、Ｂディスプレイ駆動回路２２Ｂは、供給された映像信号に応じてＢディスプレイ１２を駆動することにより、放送番組を構成する映像を、Ｂディスプレイ１２に表示させる。
【００２３】
Ａチューナユニット２０Ａ，Ｂチューナユニット２０Ｂと表示制御部２５には、バスバー２６を介して、通信Ｉ／Ｆ２７、外部機器Ｉ／Ｆ２８、Ａリモコン受光部２９、Ｂリモコン受光部３０、操作ボタン３１、制御回路３２を備えている。制御回路３２は、ＣＰＵ、ＲＯＭ、ＲＡＭ等によって構成されており、ＲＯＭ、ＲＡＭ等に記録されているプログラムをＣＰＵが実行することにより、両面テレビ１の各部を制御する。操作ボタン３１は、Ａディスプレイ１１とＢディスプレイ１２の例えば外側面にそれぞれ配置され、Ａディスプレイ１１とＢディスプレイ１２に対して別々に各種操作を行う。
【００２４】
表示制御部２５は、図３に示すように、選局操作受付部２５１、選局部２５２、記憶部２５３、表示画面生成部２５４、選局制御部２５５を有している。選局操作受付部２５１は、不図示のリモコンまたは操作ボタン３１の操作で両面テレビ１に対する選局操作を行う。記憶部２５３はチャンネル設定を記憶する。選局部２５２は、選局操作受付部２５１によって選局操作が受け付けられると、その選局操作に応じた選局処理を行う。選局部２５２は、特定されたチャンネルへ選局を切り替えるように、Ａチューナユニット２０Ａ，Ｂチューナユニット２０Ｂに対してそれぞれ指示する。これに応じて、Ａチューナユニット２０Ａ，Ｂチューナユニット２０Ｂは、外部アンテナ２１を介して受信した複数の放送波の中から、指示されたチャンネルの放送波を抽出し、このチャンネルの放送番組の映像信号および音声信号を出力する。これにより、Ａディスプレイ１１、Ｂディスプレイ１２には、それぞれ選局されたチャンネルの放送番組を構成する映像が表示され、Ａスピーカ２４Ａ、Ｂスピーカ２４Ｂからは、それぞれその放送番組を構成する音声が出力される。
【００２５】
表示画面生成部２５４は、Ａディスプレイ１１と、Ｂディスプレイ１２に対する表示用の画面を生成する。具体的には、表示画面生成部２５４は、文字放送データ等が予め定められた表示レイアウトで表示されるように、各表示用の画面を生成する。また、両面テレビ１は、対応するリモコン操作又は操作ボタン３１を操作すると、対応するチューナユニット２０Ａ、２０Ｂ等の電源のＯＮ／ＯＦＦ、選局、音量調整等を独立して行うことができる。
【００２６】
本実施の形態によれば、例えば家庭内のキッチンで仕事をする人と、キッチンに隣接する居間などでくつろぐ人との間に両面テレビ１を置くと、居間にいる人とキッチンに居る人が同時に別々のテレビ番組等を視聴することが可能となる。
【００２７】
なお、受像回路部３はテレビ支持部１３の脚部１４に設けるようにしてもよい。このように、受像回路部３をテレビ支持部１３の支持台１５または脚部１４に配置することにより、受像回路３をＡディスプレイ１１およびＢディスプレイ１２に内蔵する必要がなくなり、両面ディスプレイ部２をより一層薄型化することができる。
【符号の説明】
【００２８】
１…両面テレビ、  ２…両面ディスプレイ部、  ３…受像回路部、  １１…Ａディスプレイ、  １２…Ｂディスプレイ、  １３…テレビ支持部、  １４…脚部、  １５…支持台、  ２０Ａ…Ａチューナユニット、  ２０Ｂ…Ｂチューナユニット、  ２２Ａ…Ａディスプレイ駆動回路、  ２２Ｂ…Ｂディスプレイ駆動回路、  ２３Ａ…Ａ音声出力回路、  ２３Ｂ…Ｂ音声出力回路、  ２４Ａ…Ａスピーカ、  ２４Ｂ…Ｂスピーカ、  ２０１…チューナ、  ２０２…デモジュレータ、  ２０３…デマルチプレクサ、  ２１…外部アンテナ、  ２６…バスバー、  ２７…通信Ｉ／Ｆ、  ２８…外部機器Ｉ／Ｆ、  ２９…Ａリモコン受光部、  ３０…Ｂリモコン受光部、  ３１…操作ボタン、  ３２…制御回路、  ２５１…選局操作受付部、  ２５２…選局部、  ２５３…記憶部、  ２５４…表示画面生成部、  ２５５…選局制御部
【図１】
0003220235.tif 000003
【図２】
0003220235.tif 000004
【図３】
0003220235.tif 000005